(57)【要約】量子暗号鍵配布端末及びシステムが開示されている。量子暗号鍵配布システムにおける光学送受信装置とエレクトロニクスボードをエレクトロニクスバックパネルによって全体に有機的に統合する。構造がコンパクトで、かつ高集積化の量子暗号鍵配布端末を提供し、量子暗号鍵配布システムにおける各構成部品に対して統合的なテスト、メンテナンス、及び管理を行うことを実現することができることで、暗号鍵配布システムの統合と末端化が実現される。更に、同じ量子暗号鍵配布端末を使用して柔軟なネットワーキングを行って、ポイントツーポイント、ローカルエリアネットワーク又はメトロポリタンエリアネットワークの規模の量子暗号鍵配布システムを設定することができる。
2016534683.tif 000002
【特許請求の範囲】
【請求項１】
エレクトロニクスバックパネルと、光学送受信装置と、エレクトロニクスボードと、電源と、ネットワークインターフェースと、暗号鍵応用インターフェースと、量子光ファイバーインターフェースと、シャーシ筐体とを含み、
前記エレクトロニクスバックパネルは、単板相互接続インターフェースと、高速光電インターフェースと、探知機インターフェースと、電源インターフェースとを含み、
前記光学送受信装置は光源板と、光路部品と、探知機とを含み、前記光路部品は光ファイバーのピグテイルファイバー、光ファイバーフランジによって、光源板及び探知機のそれぞれに接続され、
前記エレクトロニクスボードは、システムメンテナンスと管理、量子暗号鍵配布制御、システムアクセス、暗号鍵記憶と応用、及び暗号鍵後処理を実行するためのものであり、
エレクトロニクスバックパネルが、シャーシ筐体により形成される空間を二つの独立的な空間に分割して、その一部の空間に光学送受信装置が設けられ、他の部分の空間にエレクトロニクスボードが設けられ、電源が、任意の空間における空位に設けられ、
エレクトロニクスバックパネルは単板相互接続インターフェースを介してエレクトロニクスボードに接続され、高速光電インターフェースを介して光学送受信装置における光源板及び光路部品に接続され、探知機インターフェースを介して光学送受信装置における探知機に接続され、エレクトロニクスボードと光学送受信装置との間に、エレクトロニクスボードそれぞれの間へ信号及びデータの交換を提供し、
電源インターフェースは電源に接続されて、電源から電力を取って、エレクトロニクスバックパネル及びエレクトロニクスバックパネルに接続される端末内における他の装置へ電力を供給し、
前記ネットワークインターフェースと、暗号鍵応用インターフェースと、量子光ファイバーインターフェースは共にシャーシ筐体に取り付けられて、外部デバイスとの情報交換のために使用され、
ネットワークインターフェースは、エレクトロニクスボードに接続されて、量子暗号鍵配布端末が外部デバイスとデータ交換を行うために使用され、
暗号鍵応用インターフェースは、エレクトロニクスボードに接続されて、量子暗号鍵配布端末の外接の通信端末へ量子暗号鍵応用を提供するために使用され、
量子光ファイバーインターフェースは光路部品に接続されて、複数の量子暗号鍵配布端末の間で光学信号を伝送するために使用されることを特徴とする量子暗号鍵配布端末。
【請求項２】
前記高速光電インターフェースは、エレクトロニクスボードが単板相互接続インターフェースを介して入力した光源駆動信号を光源板に出力し、前記光源駆動信号は光源板でのレーザー発光を制御するためのものであり、
前記探知機インターフェースは、探知機の出力した探知機カウント信号を単板相互接続インターフェースを介してエレクトロニクスボードに入力し、前記高速光電インターフェースは、エレクトロニクスボードが単板相互接続インターフェースを介して出力した光変調器制御信号を光路部品に出力し、
前記高速光電インターフェースは、光路部品で同期光信号を変換した同期電信号を受信し、単板相互接続インターフェースを介して同期電信号をエレクトロニクスボードに入力し、前記探知機インターフェースは、エレクトロニクスボードで単板相互接続インターフェースを介して出力した探知機制御信号を探知機に出力することを特徴とする請求項１に記載の端末。
【請求項３】
前記エレクトロニクスボードはシステムメンテナンスと管理、量子暗号鍵配布制御、システムアクセス、暗号鍵記憶と応用、及び暗号鍵後処理、の機能を集積した一つのボードであることを特徴とする請求項１に記載の端末。
【請求項４】
前記エレクトロニクスボードは、システムメンテナンスと管理ボード、量子暗号鍵配布制御ボード、システムアクセスボード、暗号鍵記憶と応用ボード、暗号鍵後処理ボードを含み、各ボードは一種の機能のみを集積したことを特徴とする請求項１に記載の端末。
【請求項５】
シャーシ筐体に取り付けられ、エレクトロニクスバックパネルに接続され、単板相互接続インターフェースを介してエレクトロニクスボードに接続されて、デバイスログの問い合わせとソフトウェアのアップグレードのために使用されるメンテナンスインターフェースをさらに含む請求項１に記載の端末。
【請求項６】
各独立的な空間ごとに一つの放熱ファンが設置される二つの放熱ファンであって、該二つの放熱ファンはいずれもエレクトロニクスバックパネルでのファンインターフェースに接続されて、エレクトロニクスバックパネルから電力を取って作動する二つの放熱ファンをさらに含む請求項１に記載の端末。
【請求項７】
前記シャーシ筐体は、二つの放熱窓をさらに含み、良好的な放熱通路を提供するように、放熱窓が設置された位置は端末において放熱ファンを設置する位置と一致するようにする請求項６に記載の端末。
【請求項８】
前記シャーシ筐体はハウジングに固定されるための二つのシャーシサイド耳をさらに含む請求項１に記載の端末。
【請求項９】
エレクトロニクスボードに接続され、シャーシカバーが強制的に取り外される時に、エレクトロニクスボードへセンシング信号を送信することで、エレクトロニクスボードがシステム管理とメンテナンスの機能を実行して、エレクトロニクスボードにおける予備電池を利用して、デバイスに記憶された情報を取り除くための、少なくとも一つの取り外し防止探測スイッチをさらに含む請求項１に記載の端末。
【請求項１０】
前記シャーシ筐体は、静電影響を防止するための静電連結ソケットをさらに含む請求項１に記載の端末。
【請求項１１】
前記シャーシ筐体は、エレクトロニクスボードに接続される少なくとも一つのデバイス状態指示灯をさらに含む請求項１に記載の端末。
【請求項１２】
前記シャーシ筐体は、シャーシ筐体に設けられるインターフェースを施錠するための少なくとも一つのインターフェースバリアをさらに含む請求項１から１１のいずれか１項に記載の端末。
【請求項１３】
量子暗号鍵配布システムであって、
二つの請求項１から１２のいずれか１項に記載の量子暗号鍵配布端末を含んで、
二つの量子暗号鍵配布端末のネットワークインターフェースはケーブルで接続されて、二つの量子暗号鍵配布端末に、基底ベクトル対比、データ誤り訂正、及びプライバシー増幅の過程におけるデータ交換チャネルを提供し、
二つの量子暗号鍵配布端末の光ファイバーインターフェースは光ファイバーで接続されて、二つの量子暗号鍵配布端末の光学信号を伝送するチャネルを提供し、
二つの量子暗号鍵配布端末はそれぞれの暗号鍵応用インターフェースを介して少なくとも一つの通信端末に接続されて、量子暗号鍵配布システムと通信端末との信号とデータの交換のチャネルを提供し、量子暗号鍵配布システムにアクセスする通信端末へ量子暗号鍵応用を提供すること、を含むシステム。
【請求項１４】
量子暗号鍵配布システムであって、
少なくとも一つの光交換機と、少なくとも一つの交換機と、少なくとも二つの請求項１から１2のいずれか１項に記載の量子暗号鍵配布端末と、量子暗号鍵配布制御センターを含み、
前記少なくとも一つのスイッチは一つのクラシックネットワークリソースを提供するために使用され、
各量子暗号鍵配布端末は前記クラシックネットワークリソースによって量子暗号鍵配布制御センターに接続され、
光交換機は光ファイバーによって量子暗号鍵配布端末の量子光ファイバーインターフェースに接続され、それと接続される量子暗号鍵配布端末へ量子チャネルの切り替えを提供し、
光交換機の間は光ファイバーで接続され、各光交換機は量子暗号鍵配布制御センターにより直接的または間接的に制御され、
前記量子暗号鍵配布制御センターは量子暗号鍵配布端末と光交換機の作動状態を制御するための制御信号を送信するために使用され、
各量子暗号鍵配布端末はそれぞれの暗号鍵応用インターフェースを介して少なくとも一つの通信端末に接続されるシステム。
【請求項１５】
前記各光交換機が量子暗号鍵配布制御センターにより直接的に制御され、
各光交換機は前記クラシックネットワークリソースによって量子暗号鍵配布制御センターに直接的に接続され、
量子暗号鍵配布制御センターは前記クラシックネットワークリソースによって直接的に光交換機へ制御信号を送信して、光交換機を制御して量子チャネルを切り替える請求項１4に記載のシステム。
【請求項１６】
前記各光交換機が量子暗号鍵配布制御センターにより間接的に制御され、
各光交換機はケーブルによって量子暗号鍵配布端末のネットワークインターフェースに接続され、
量子暗号鍵配布制御センターは制御信号を、前記クラシックネットワークリソースによってそれに接続される量子暗号鍵配布端末に送信し、量子暗号鍵配布端末は前記制御信号をケーブルによってそれと接続される光交換機に送信する請求項１4前記に記載のシステム。
【発明の詳細な説明】
【技術分野】
【０００１】
本発明は量子通信技術分野に関して、特に、量子暗号鍵配布端末及びシステムに関する。
【０００２】
本願は、2013年9月30日に中国専利局に出願された申請号が201310464744.4であって、発明名称が「量子暗号鍵配布端末及びシステム」である中国専利申請に基づく優先権を主張し、ここにその全ての内容を援用により本願に取り込まれる。
【背景技術】
【０００３】
量子通信技術が飛躍的に発展することに伴って、量子暗号鍵配布(Quantum Key Distribution、QKD)は徐々、成熟の適用技術になっている。この技術は、量子の複製不可原理と不確実性原理に基づくものであって、それによって生成された暗号鍵は理論的に絶対安全性を有し、主に秘密の等級が高く要求されるところに応用する。従来の量子暗号鍵配布ハードウェアデバイスは主に光学送受信装置とエレクトロニクスボードからなって、前記光学送受信装置は光源板と、光路部品と、探知機を含み、エレクトロニクスボードは主にデータ処理、暗号鍵生成制御、暗号鍵管理等のために使用される。
【０００４】
量子暗号鍵配布ハードウェアデバイスを使用する時に、エレクトロニクスボードと光学送受信装置における各部品はいずれも独立した分散配置されたデバイスであるため、エレクトロニクスボードの複数の信号入力／出力インターフェースをそれぞれ光学送受信装置における光源板、光路部品、探知機の対応するインターフェースに接続して、量子暗号鍵配布システムを構成し、さらに、構成された量子暗号鍵配布システムに実際的な応用を行わせる必要がある。
【０００５】
当業者は上記量子暗号鍵配布ハードウェアデバイスを使用する時に、下記のような欠点があることを見出した。
【０００６】
量子暗号鍵配布システムに構成されるエレクトロニクスボード、光源板、光路部品、及び探知機が分散設置されるため、システム全体に対するテスト、メンテナンス、管理が比較的に分散されることになって、全体的な管理が容易ではなく、また、複数の量子暗号鍵配布システムを使用して量子暗号鍵配布ネットワークを構成する時に、各量子暗号鍵配布システムの間のネットワーキングが複雑になって、管理とメンテナンスもより難しくなる。
【発明の概要】
【発明が解決しようとする課題】
【０００７】
本発明は、これに鑑みてなされ、システムにおける各構成部品は端末に集積されて、テスト、メンテナンス、及び管理を容易にする量子暗号鍵配布端末とシステムを提供した。
【０００８】
量子暗号鍵配布端末であって、前記端末は、エレクトロニクスバックパネルと、光学送受信装置と、エレクトロニクスボードと、電源と、ネットワークインターフェースと、暗号鍵応用インターフェースと、量子光ファイバーインターフェースと、シャーシ筐体とを含み、前記エレクトロニクスバックパネルは、単板相互接続インターフェースと、高速光電インターフェースと、探知機インターフェースと、電源インターフェースとを含み、前記光学送受信装置は光源板と、光路部品と、探知機とを含んで、前記光路部品は光ファイバーのピグテイルファイバー、光ファイバーフランジによって、光源板と探知機のそれぞれに接続され、前記エレクトロニクスボードは、システムメンテナンスと管理、量子暗号鍵配布制御、システムアクセス、暗号鍵記憶と応用、及び暗号鍵後処理を実行するためのものであり、エレクトロニクスバックパネルはシャーシ筐体によって形成される空間を二つの独立的な空間に分割して、そのうち、一方の空間には、光学送受信装置を置き、他方の空間には、エレクトロニクスボードを置いて、電源はいずれか一方の空間における空位に置かれ、エレクトロニクスバックパネルは単板相互接続インターフェースによってエレクトロニクスボードに接続され、高速光電インターフェースによって光学送受信装置における光源板と光路部品に接続され、探知機インターフェースによって光学送受信装置における探知機に接続され、エレクトロニクスボード光学送受信装置との間、各エレクトロニクスボードの間へ信号とデータの交換を提供し、電源インターフェースは電源に接続されて、電源から電力を取って、エレクトロニクスバックパネル及びエレクトロニクスバックパネルに接続される端末における他の装置へ電力を供給し、前記ネットワークインターフェースと、暗号鍵応用インターフェースと、量子光ファイバーインターフェースは共にシャーシ筐体に取り付けられて、外部デバイスとの情報交換のために使用され、ネットワークインターフェースはエレクトロニクスボードに接続されて、量子暗号鍵配布端末が外部デバイスとはデータ交換を行うために使用され、暗号鍵応用インターフェースはエレクトロニクスボードに接続されて、量子暗号鍵配布端末の外接の通信端末へ量子暗号鍵応用を提供し、量子光ファイバーインターフェースは光路部品に接続されて、複数の量子暗号鍵配布端末の間で光学信号を伝送するために使用される。
【０００９】
前記高速光電インターフェースは、エレクトロニクスボードが単板相互接続インターフェースによって入力した光源駆動信号を光源板に出力し、前記光源駆動信号は光源板でのレーザーが発光することを制御するためのものであり、前記探知機インターフェースは探知機の出力した探知機カウント信号を単板相互接続インターフェースによってエレクトロニクスボードに入力し、前記高速光電インターフェースは、エレクトロニクスボードが単板相互接続インターフェースによって出力した光変調器制御信号を光路部品に出力し、前記高速光電インターフェースは、光路部品が同期光信号を変換した同期電信号を受信し、単板相互接続インターフェースによって同期電信号をエレクトロニクスボードに入力し、前記探知機インターフェースは、エレクトロニクスボードが単板相互接続インターフェースによって出力した探知機制御信号を探知機に出力することもできる。
【００１０】
前記エレクトロニクスボードはシステムメンテナンスと管理、量子暗号鍵配布制御、システムアクセス、暗号鍵記憶と応用、及び暗号鍵後処理、の機能を集積した一つのボードであってもよい。
【００１１】
前記エレクトロニクスボードは、システムメンテナンスと管理ボード、量子暗号鍵配布制御ボード、システムアクセスボード、暗号鍵記憶と応用ボードと、暗号鍵後処理ボードを含んで、各ボードは一種の機能のみを集積したことを好ましい。
【００１２】
前記端末は、さらに、シャーシ筐体に取り付けられ、エレクトロニクスバックパネルに接続され、単板相互接続インターフェースによってエレクトロニクスボードに接続されて、デバイスログの問い合わせとソフトウェアのアップグレードのために使用されるメンテナンスインターフェースを含むことを好ましい。
【００１３】
前記端末は、二つの放熱ファンをさらに含んで、各独立的な空間ごとに放熱ファンが一つずつ設置され、二つの放熱ファンはいずれもエレクトロニクスバックパネルでのファンインターフェースに接続されて、エレクトロニクスバックパネルから電力を取って作動することを好ましい。
【００１４】
前記シャーシ筐体は、二つの放熱窓をさらに含み、良好的な放熱通路を提供するように、放熱窓が設置された位置は端末において放熱ファンが設置された位置と一致するようにすることを好ましい。
【００１５】
前記シャーシ筐体はハウジングに固定されるための二つのシャーシサイド耳をさらに含むことを好ましい。
【００１６】
前記端末は、さらに、エレクトロニクスボードに接続され、シャーシカバーが強制的に取り外された時に、エレクトロニクスボードへセンシング信号を送信することで、エレクトロニクスボードがシステム管理とメンテナンスの機能を実行して、エレクトロニクスボードにおける予備電池を利用して、デバイスに記憶された情報を取り除くための少なくとも一つの取り外し防止探測スイッチを含むこともできる。
【００１７】
前記シャーシ筐体は、静電影響を防止するための静電連結ソケットをさらに含むこともできる。
【００１８】
前記シャーシ筐体は、エレクトロニクスボードに接続される少なくとも一つのデバイス状態指示灯をさらに含むこともできる。
【００１９】
前記シャーシ筐体は、シャーシ筐体に設けられるインターフェースを施錠するための少なくとも一つのインターフェースバリアをさらに含むこともできる。
【００２０】
量子暗号鍵配布システムであって、前記システムは、二つの本発明請求項に記載の量子暗号鍵配布端末を含んで、二つの量子暗号鍵配布端末のネットワークインターフェースはケーブルで接続されて、二つの量子暗号鍵配布端末に、基底ベクトル対比、データ誤り訂正、及びプライバシー増幅の過程におけるデータ交換チャネルを提供し、二つの量子暗号鍵配布端末の光ファイバーインターフェースは光ファイバーで接続されて、二つの量子暗号鍵配布端末の光学信号を伝送するチャネルを提供し、二つの量子暗号鍵配布端末はそれぞれの暗号鍵応用インターフェースによって少なくとも一つの通信端末に接続されて、量子暗号鍵配布システムと通信端末との信号とデータの交換のチャネルを提供し、量子暗号鍵配布システムにアクセスする通信端末へ量子暗号鍵応用を提供する。
【００２１】
量子暗号鍵配布システムであって、前記システムは、少なくとも一つの光交換機と、少なくとも一つの交換機と、少なくとも二つの本発明請求項に記載の量子暗号鍵配布端末と、量子暗号鍵配布制御センターを含み、前記少なくとも一つのスイッチは一つのクラシックネットワークリソースを提供するために使用され、各量子暗号鍵配布端末は前記クラシックネットワークリソースによって量子暗号鍵配布制御センターに接続され、光交換機は光ファイバーによって量子暗号鍵配布端末の量子光ファイバーインターフェースに接続され、それと接続される量子暗号鍵配布端末へ量子チャネルの切り替えを提供し、光交換機の間は光ファイバーで接続され、各光交換機は量子暗号鍵配布制御センターにより直接的または間接的に制御され、前記量子暗号鍵配布制御センターは量子暗号鍵配布端末と光交換機の作動状態を制御するための制御信号を送信するために使用され、各量子暗号鍵配布端末はそれぞれの暗号鍵応用インターフェースによって少なくとも一つの通信端末に接続される。
【００２２】
前記各光交換機が量子暗号鍵配布制御センターにより直接的に制御されることについて、各光交換機は前記クラシックネットワークリソースによって量子暗号鍵配布制御センターに直接的に接続され、量子暗号鍵配布制御センターは前記クラシックネットワークリソースによって直接的に光交換機へ制御信号を送信して、光交換機を制御して量子チャネルを切り替えることもできる。
【００２３】
前記各光交換機が量子暗号鍵配布制御センターにより間接的に制御されることについて、各光交換機はケーブルによって量子暗号鍵配布端末のネットワークインターフェースに接続され、量子暗号鍵配布制御センターは制御信号を、前記クラシックネットワークリソースによってそれに接続される量子暗号鍵配布端末に送信し、量子暗号鍵配布端末は前記制御信号、をケーブルによってそれと接続される光交換機に送信することもできる。
【００２４】
上記のような内容のように、本発明は、以下のような有益な効果を有する。
【００２５】
本発明は量子暗号鍵配布端末とシステムを提供し、量子暗号鍵配布システムにおける光学送受信装置とエレクトロニクスボードをエレクトロニクスバックパネルによって全体に有機的に統合する。構造がコンパクトで、かつ高集積化の量子暗号鍵配布端末を提供して、量子暗号鍵配布システムにおける各構成部品に対して統合的なテスト、メンテナンス、及び管理を行うことを実現することができることで、暗号鍵配布システムの統合と末端化が実現される。更に、同じ量子暗号鍵配布端末を使用して柔軟なネットワーキングを行って、ポイントツーポイント、ローカルエリアネットワーク又はメトロポリタンエリアネットワークの規模の量子暗号鍵配布システムを設定することができる。
【図面の簡単な説明】
【００２６】
本発明の実施例又は従来技術における技術的方案をより明確に説明するために、以下、実施例又は従来技術の説明で使用される図面を簡単に紹介する。明らかに、以下の説明における図面は、本発明のいくつか実施例のみであって、当業者にとって、創造的な労働をしない前提の下で、これら図面から他の図面を得ることができる。
【図１】本発明にかかる量子暗号鍵配布端末の内部構成模示図である。
【図２】本発明にかかる量子暗号鍵配布端末のシャーシ筐体の構成模示図である。
【図３】本発明にかかる量子暗号鍵配布システムの実施例二の構成模示図である。
【図４】本発明にかかる量子暗号鍵配布システムの実施例三の構成模示図である。
【図５】本発明にかかる量子暗号鍵配布システムにより構成される量子暗号鍵配布ネットワークの構成模示図である。
【発明を実施するための形態】
【００２７】
本発明は量子暗号鍵配布端末とシステムを開示し、システムにおける各構成部品は端末に集積されて、テストと、メンテナンスと、管理を容易にし、複数の端末の柔軟なネットワーキングを実現することができる。
【００２８】
以下、本発明の具体的な実施例について図面を結合して詳しく説明する。
【００２９】
図1は本発明にかかる量子暗号鍵配布端末の内部構成模示図であって、図2は本発明にかかる量子暗号鍵配布端末のシャーシ筐体構成模示図である。前記端末は、エレクトロニクスバックパネル101と、光学送受信装置102と、エレクトロニクスボード103と、電源104と、ネットワークインターフェース105と、暗号鍵応用インターフェース106、量子光ファイバーインターフェース107と、シャーシ筐体108と、を含む。
【００３０】
前記エレクトロニクスバックパネル101は、単板相互接続インターフェース109と、高速光電インターフェース110と、探知機インターフェース111と、電源インターフェース112と、を含む。
【００３１】
なお、単板相互接続インターフェース109は、先進的電気通信コンピューテ ィングアーキテクチャ(Advanced Telecommunications Computing Architecture、AdvancedTCA)規格を満たすZD高速コネクタを採用し、高速光電インターフェース110は、低電圧差動信号(Low Voltage Differential Signaling、LVDS)高速インターフェースを採用し、探知機インターフェース111は、同軸コネクタ又はLVDS高速インターフェースを採用し、電源インターフェース112はERNI ATCA電源コネクタを採用する。
【００３２】
実際的な設計において、上記のエレクトロニクスバックパネル101における各インターフェースの具体的な態様は、それに接続されるエレクトロニクスボード、光学送受信装置、電源などの外部へのインターフェースのそれぞれにマッチングする必要がある。ここで例示のみであって、その具体的な態様は本発明を限定するものではない。
【００３３】
前記光学送受信装置102は、光源板113と、光路部品114と、探知機115を含んで、前記光路部品114は光ファイバーのピグテイルファイバー、光ファイバーフランジによって光源板113と探知機115にそれぞれ接続される。
【００３４】
前記エレクトロニクスボード103は、システムメンテナンスと管理、量子暗号鍵配布制御、システムアクセス、暗号鍵記憶と応用、及び暗号鍵後処理を実行するためのものである。
【００３５】
前記エレクトロニクスボード103は、システムメンテナンスと管理、量子暗号鍵配布制御、システムアクセス、暗号鍵記憶と応用、及び暗号鍵後処理の機能を集積した一つのボードであってもよい。
【００３６】
前記エレクトロニクスボード103は、システムメンテナンスと管理ボード116、量子暗号鍵配布制御ボード117、システムアクセスボード118、暗号鍵記憶と応用ボード119、及び暗号鍵後処理ボード120を含んで、各ボードは一種の機能のみを集積することもできる。
【００３７】
つまり、システムメンテナンスと管理ボード116はシステムメンテナンスと管理の機能を実行し、量子暗号鍵配布制御ボード117は量子暗号鍵配布制御の機能を実行し、システムアクセスボード118はシステムアクセスの機能を実行し、暗号鍵記憶及応用ボード119暗号鍵記憶と応用の機能を実行し、暗号鍵後処理ボード120は暗号鍵後処理の機能を実行する。
【００３８】
まとめると、実際的な開発において、開発の難しさや開発コストなどの要素を総合的に考慮して、上記のこれら5つのエレクトロニクスボードの機能を1つ、2つ、3つ又は4つのエレクトロニクスボードに集積してもよいし、6つ、7つ又はそれ以上のエレクトロニクスボードに分散してもよい。
【００３９】
エレクトロニクスバックパネル101は、シャーシ筐体108によって形成される空間を二つの独立的な空間に分割して、そのうち、一方の空間には、光学送受信装置102を置き、他方の空間には、エレクトロニクスボード103を置いて、電源104はいずれか一方の空間における空位に置かれる。
【００４０】
エレクトロニクスバックパネル101は、単板相互接続インターフェース109によってエレクトロニクスボード103に接続され、高速光電インターフェース110によって光学送受信装置102における光源板113と光路部品114に接続され、探知機インターフェース111によって光学送受信装置102における探知機115に接続され、エレクトロニクスボード103と光学送受信装置102との間、各エレクトロニクスボード103の間へ信号とデータの交換を提供する。
【００４１】
エレクトロニクスボード103はエレクトロニクスバックパネル101と、単板相互接続インターフェース109によって信号とデータの交換を行い、エレクトロニクスバックパネル101は光学送受信装置102と、高速光電インターフェース110、探知機インターフェース111によって信号とデータの交換を行う。
【００４２】
高速光電インターフェース110は、エレクトロニクスボード103が単板相互接続インターフェース109によって入力した光源駆動信号を光源板113に出力し、前記光源駆動信号は光源板113でのレーザーが発光することを制御するためのものである。
【００４３】
なお、エレクトロニクスボード103の量子暗号鍵配布制御機能を変更することによって、駆動光源板113の信号周波数を変更して、量子暗号鍵配布端末が異なる暗号鍵配布周波数で作動するようにすることができる。
【００４４】
エレクトロニクスボード103は、システムメンテナンスと管理、量子暗号鍵配布制御、システムアクセス、暗号鍵記憶と応用、及び暗号鍵後処理の機能を集積した一つのボードである。エレクトロニクスボード103は、量子暗号鍵配布制御機能を実行する時に、光源駆動信号を単板相互接続インターフェース109によって高速光電インターフェース110に送信し、高速光電インターフェース110は光源駆動信号を光源板113に出力することもできる。
【００４５】
エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。量子暗号鍵配布制御ボード117は光源駆動信号を単板相互接続インターフェース109によって高速光電インターフェース110に送信し、高速光電インターフェース110は光源駆動信号を光源板113に出力し、前記光源駆動信号は光源板113でのレーザーが発光することを制御するためのものであることもできる。
【００４６】
探知機インターフェース111は、探知機115の出力した探知機カウント信号を単板相互接続インターフェース109によってエレクトロニクスボード103に入力し、高速光電インターフェース110は、エレクトロニクスボード103が単板相互接続インターフェース109によって出力した光変調器制御信号を光路部品114に出力し、前記光変調器制御信号は、光路部品114における光変調器を制御するためのものである。
【００４７】
エレクトロニクスボード103は、システムメンテナンスと管理、量子暗号鍵配布制御、システムアクセス、暗号鍵記憶と応用、及び暗号鍵後処理機能を集積した一つのボードである。エレクトロニクスボード103は、量子暗号鍵配布制御機能を実行する時に、探知機115が探知機インターフェース111と単板相互接続インターフェース109によって送信した探知機カウント信号を受信するとともに、光変調器制御信号を単板相互接続インターフェース109と高速光電インターフェース110によって光路部品114に出力して、光路部品114における光変調器を制御することもできる。
【００４８】
エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。量子暗号鍵配布制御ボード117は、探知機115が探知機インターフェース111と単板相互接続インターフェース109によって送信した探知機カウント信号を受信するとともに、光変調器制御信号を単板相互接続インターフェース109と高速光電インターフェース110によって光路部品114に出力して、光路部品114における光変調器を制御することもできる。
【００４９】
高速光電インターフェース110は、光路部品114が同期光信号を変換した同期電信号を受信し、単板相互接続インターフェース109によってエレクトロニクスボード103へ同期電信号を入力し、探知機インターフェース111はエレクトロニクスボード103が単板相互接続インターフェース109によって出力した探知機制御信号を探知機115に出力する。
【００５０】
エレクトロニクスボード103はシステムメンテナンスと管理、量子暗号鍵配布制御、システムアクセス、暗号鍵記憶と応用、及び暗号鍵後処理機能を集積した一つのボードである。エレクトロニクスボード103は、量子暗号鍵配布制御機能を実行する時に、光路部品114が高速光電インターフェース110と単板相互接続インターフェース109によって入力した同期電信号を受信するとともに、探知機制御信号を単板相互接続インターフェース109と探知機インターフェース111によって探知機115に出力することもできる。
【００５１】
エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。量子暗号鍵配布制御ボード117は、光路部品114が高速光電インターフェース110と単板相互接続インターフェース109によって入力した同期電信号を受信するとともに、探知機制御信号を単板相互接続インターフェース109と探知機インターフェース111によって探知機115に出力することもできる。
【００５２】
説明すべきことは、同期光信号を同期電信号に変換することは通常、電路によって実現され、実際的な設計において、当該機能電路は光源板113、光路部品114、及び探知機115のうちのいずれかと集積可能であって、高速光電インターフェース110との接続が相応的に調整されるものであればよい。ここで例示のみであって、本発明を限定するものではない。
【００５３】
電源インターフェース112は電源104に接続されて、電源から電力を取って、エレクトロニクスバックパネル101及びエレクトロニクスバックパネル101に接続される端末内における他の装置へ電力を供給する。
【００５４】
前記ネットワークインターフェース105、暗号鍵応用インターフェース106、量子光ファイバーインターフェース107は共にシャーシ筐体108に取り付けられて、外部デバイスとの情報交換のために使用される。
【００５５】
ネットワークインターフェース105はエレクトロニクスボード103に接続されて、量子暗号鍵配布端末と外部デバイスとはデータ交換を行うために使用され、特に、量子暗号鍵配布のクラシックチャネル通信のために使用される。
【００５６】
エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。各ボードはいずれもネットワークインターフェース105によって外部デバイスとデータ交換を行うことが可能であることもできる。ここで説明すべきことは、ネットワークインターフェース105は一つであってもよいし、複数であってもよい。エレクトロニクスボードの全ては一つのネットワークインターフェース105を共用して外部デバイスとデータ交換を行うことであってもよいし、それぞれのエレクトロニクスボードに外部デバイスとデータ交換を行うネットワークインターフェース105を一つずつ設置することであってもよい。
【００５７】
暗号鍵応用インターフェース106はエレクトロニクスボード103に接続されて、量子暗号鍵配布端末の外接の通信端末へ量子暗号鍵応用を提供するためのものである。
【００５８】
エレクトロニクスボード103は、ステムメンテナンスと管理ボード116、量子暗号鍵配布制御ボード117、システムアクセスボード118、暗号鍵記憶と応用ボード119、及び暗号鍵後処理ボード120の複数ボードを含む。暗号鍵応用インターフェース106は暗号鍵記憶と応用ボード119に接続されることもできる。
【００５９】
量子光ファイバーインターフェース107は光路部品114に接続され、複数の量子暗号鍵配布端末の間で光学信号を伝送して、量子チャネル通信を行うために使用される。
【００６０】
前記端末は、シャーシ筐体108に取り付けられ、エレクトロニクスバックパネル101に接続され、単板相互接続インターフェース109によってエレクトロニクスボード103に接続されて、デバイスログの問い合わせとソフトウェアのアップグレードのために使用されるメンテナンスインターフェース121を含むこともできる。
【００６１】
なお、エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。メンテナンスインターフェース121は単板相互接続インターフェース109によってシステムメンテナンスと管理ボード116に接続される。
【００６２】
前記端末は二つの放熱ファン122と123をさらに含んで、各独立的な空間ごとに放熱ファンが一つずつ設置され、二つの放熱ファン122と123はいずれもエレクトロニクスバックパネル101でのファンインターフェース124に接続されて、エレクトロニクスバックパネル101から電力を取って作動する。
【００６３】
なお、ファンインターフェース124はERNI iBridgeコネクタを採用する。
【００６４】
前記シャーシ筐体108は、ハウジングに固定されるための二つのシャーシサイド耳207をさらに含むこともできる。
【００６５】
量子暗号鍵配布端末の作動している時の大部分の時間の置き方式は図2に示す通りであって、シャーシ筐体108は、前カバー201、後カバー202、上カバー203、下カバー204、左カバー205、及び右カバー206を含む。シャーシ筐体108の前カバー201に二つの取り外し可能なシャーシサイド耳207が設けられる。
【００６６】
前記端末は、さらに、エレクトロニクスボード103に接続され、シャーシカバーが強制的に取り外された時に、エレクトロニクスボード103へセンシング信号を送信することで、エレクトロニクスボード103がシステム管理とメンテナンスの機能を実行して、エレクトロニクスボード103における予備電池を利用して、デバイスに記憶された情報を取り除くための少なくとも一つの取り外し防止探測スイッチ125を含むこともできる。
【００６７】
なお、エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。前記取り外し防止探測スイッチ125はシステムメンテナンスと管理ボード116に接続されることもできる。
【００６８】
前記シャーシ筐体108は、静電影響を防止するための静電連結ソケット208をさらに含むこともできる。
【００６９】
なお、静電連結ソケット208はシャーシ筐体108の前カバー201に設けられ、実際的な状況によってシャーシ筐体108の他の場所に設けられてもよく、図2に示すような位置のみに限られない。
【００７０】
前記シャーシ筐体108は、エレクトロニクスボード103に接続される少なくとも一つのデバイス状態指示灯をさらに含むこともできる。
【００７１】
なお、デバイス状態指示灯は一般的に、ユーザーがデバイスの運行状態を確認しやすいように、シャーシ筐体108の前カバー201に設けられ、前記状態指示灯は具体的にLED灯になってもよい。
【００７２】
なお、エレクトロニクスボード103は、システムメンテナンスと管理ボード116、量子暗号鍵配布制御ボード117、システムアクセスボード118、暗号鍵記憶と応用ボード119、及び暗号鍵後処理ボード120の複数ボードを含む。前記デバイス状態指示灯はシステムメンテナンスと管理ボード116に接続されることもできる。
【００７３】
前記シャーシ筐体108は、シャーシ筐体108に設けられるインターフェースを施錠するための少なくとも一つのインターフェースバリア209をさらに含むこともできる。
【００７４】
なお、インターフェースバリア209はシャーシ筐体108の前カバー201に設けられ、インターフェースバリア209は、シャーシ筐体108に設けられたテストとメンテナンスのためのインターフェース(メンテナンスインターフェース121のようなテスト専用に設置された量子光ファイバーインターフェースなど)を施錠して、テストメンテナンス担当者のみに使用させることができる。要求に応じてシャーシ筐体108の他の部位に設けられてもよく、図2に示すような設置位置のみに限られない。
【００７５】
前記シャーシ筐体108は、さらに、二つの放熱窓210を含むこともできる。
【００７６】
図2に示すように、シャーシ筐体108の右カバー206には、また、二つの放熱窓210が設けられ、良好的な放熱チャネルを提供するように、放熱窓210の設置された位置は放熱ファン122-123の設置された位置と一致するようにする。
【００７７】
上記の内容のように、本発明は下記のような有益な效果を有する。
【００７８】
一の側面で、量子暗号鍵配布システムにおける光学送受信装置とエレクトロニクスボードをエレクトロニクスバックパネルによって全体に有機的に統合して、構造がコンパクトで、かつ高集積化の量子暗号鍵配布端末を提供し、量子暗号鍵配布システムにおける各構成部品に対して統合的なテスト、メンテナンス、及び管理を行うことを実現することができることで、暗号鍵配布システムの統合と末端化が実現される。
【００７９】
他の一側面で、量子暗号鍵配布は、例えば同期光信号、光源駆動信号、光変調器制御信号、探知機制御信号、探知機カウント信号などである複数の種類のキー信号の伝送に関し、エレクトロニクスバックパネルは、単板相互接続インターフェース、高速光電インターフェース、探知機インターフェースの三つの主な機能インターフェースの設計だけで、エレクトロニクスボードと光学送受信装置との高效的な協同作動を実現し、特に、高速光電インターフェースの設計は、機能集積性と信号伝送の高速性も併せ持って、このようにして、コストを節約することができ、高速QKDシステムとの互換性があることもできる。
【００８０】
他の一側面で、量子暗号鍵配布端末は、使用の要求によって、単方向或双方向の量子暗号鍵配布を選択することができて、デバイスコストを低下する。
【００８１】
他の一側面で、量子暗号鍵配布端末は取り外し防止保護機能を有し、デバイスが悪意攻撃又は資料の盗み取りを受けた時に、デバイスは記憶された情報を取り除くことができる。
【００８２】
他の一側面で、量子暗号鍵配布端末の外部へのインターフェースは簡単であるため、同じ量子暗号鍵配布端末を使用して柔軟なネットワーキングを行って、ポイントツーポイント、ローカルエリアネットワーク又はメトロポリタンエリアネットワークの規模の量子暗号鍵配布システムを設定することができる。
【００８３】
実施例二
図3は本発明にかかる量子暗号鍵配布システムの実施例二の構成模示図であり、前記システムは、
二つの本発明の実施例一に記載の量子暗号鍵配布端末301和302を含む。
【００８４】
一方の量子暗号鍵配布端末301を送信方として、他方の量子暗号鍵配布端末302を受信方とし、二つの量子暗号鍵配布端末を同時に送信方と受信方としてもよい。
【００８５】
二つの量子暗号鍵配布端末301と302のネットワークインターフェースはケーブル303で接続されて、二つの量子暗号鍵配布端末に、基底ベクトル対比、データ誤り訂正、及びプライバシー増幅の過程におけるデータ交換チャネルを提供する。
【００８６】
二つの量子暗号鍵配布端末の量子光ファイバーインターフェースは光ファイバー304で接続されて、二つの量子暗号鍵配布端末の光学信号を伝送するチャネルである量子チャネルを提供する。
【００８７】
二つの量子暗号鍵配布端末は、それぞれの暗号鍵応用インターフェースによって少なくとも一つの通信端末305-310に接続されて、量子暗号鍵配布システムと通信端末との信号とデータの交換のチャネルを提供し、量子暗号鍵配布システムにアクセスする通信端末へ量子暗号鍵応用を提供する。
【００８８】
量子暗号鍵配布端末の受信した起動コマンドはそれぞれのネットワークインターフェースによってシステムアクセスボードに伝送されて、プロトコル変換後に、エレクトロニクスバックパネルの単板相互接続インターフェースによって量子暗号鍵配布制御ボードに伝送される。
【００８９】
送信方であるエレクトロニクスボードにおける量子暗号鍵配布制御ボードは光源駆動信号を出力し、前記光源駆動信号は、順次にエレクトロニクスバックパネルの単板相互接続インターフェースと高速光電インターフェースを介して光源板に伝送され、光源板を駆動して同期光と信号光を発光し、同期光和信号光は光路部品に出力されて処理され、量子光ファイバーインターフェースによって外部へ出力される。
【００９０】
受信方は、ネットワークインターフェース、及びケーブル303を接続して構成された通路によって送信方とデータ交換を行う一方、量子光ファイバーインターフェース、及びファイバー304を接続して構成された通路によって送信方の出力した同期光と信号光を受信する。同期光は、受信方の光路部品によって同期電信号に変換されて、エレクトロニクスバックパネルでの高速光電インターフェースに入力されて、単板相互接続インターフェースによって受信方の量子暗号鍵配布制御ボードに伝送され、量子暗号鍵配布制御ボードは当該同期電信号に対して位相ロック、遅延等の制御を行った後にゲート信号が得られ、当該ゲート信号は単板相互接続インターフェースによってエレクトロニクスバックパネルに出力され、エレクトロニクスバックパネルでの探知機インターフェースによって受信方の探知機に伝送される。信号光は、受信方の光路部品の処理後に、受信方の探知機に伝送され、受信方の探知機の出力したカウント信号は順次にエレクトロニクスバックパネルの探知機インターフェース及び単板相互接続インターフェースによって受信方の量子暗号鍵配布制御ボードに伝送され、量子暗号鍵配布制御ボードは光変調器制御信号を単板相互接続インターフェースによってエレクトロニクスバックパネルに出力し、エレクトロニクスバックパネルでの高速光電インターフェースによって受信方の光路部品に伝送して、光路部品における光変調器を制御する。
【００９１】
取得した初期暗号鍵データは暗号鍵後処理ボードにおいて基底ベクトル対比、データ誤り訂正、プライバシー増幅などの後処理操作が行わられ、処理後に得られた最終的な暗号鍵が暗号鍵記憶と応用ボードに記憶される。暗号鍵記憶と応用ボードは暗号鍵応用インターフェースに接続されて、外接のファックス305と308、電話機306と309、及びPCマシン307と310などの通信端末へ量子暗号鍵応用を提供する。
【００９２】
実施例三
図4は本発明にかかる量子暗号鍵配布システムの実施例三の構成模示図であり、前記システムは、少なくとも一つの交換機401と、少なくとも一つの光交換機402と、少なくとも二つの本発明実施例一に記載の量子暗号鍵配布端末403と404と、量子暗号鍵配布制御センター405を含む。
【００９３】
図4に示すように、交換機401、光交換機402、本発明実施例一に記載の量子暗号鍵配布端末403と404、量子暗号鍵配布制御センター405のみにより一つの量子暗号鍵配布ローカルエリアネットワークを構成することができる。ここで説明すべきことは、量子暗号鍵配布端末の数が図4に示すような二つに限られなく、もっと多くあってもよい。
【００９４】
同様に、図5において、交換機501、光交換機502、本発明実施例一に記載の量子暗号鍵配布端末503と504、量子暗号鍵配布制御センター405のみにより、他の一つの量子暗号鍵配布ローカルエリアネットワークを構成することができる。
【００９５】
図5に示すような量子暗号鍵配布ネットワークにおいて、量子暗号鍵配布制御センター405は統合的な管理を行い、交換機401と交換機501によってクラシックネットワークリソース505を提供し、各量子暗号鍵配布端末はクラシックネットワークリソース505によって量子暗号鍵配布制御センター405に接続され、光交換機402は光ファイバーによって量子暗号鍵配布端末403と404の量子光ファイバーインターフェースに接続され、光交換機502は光ファイバーによって量子暗号鍵配布端末503と504の量子光ファイバーインターフェースに接続され、光交換機402と光交換機502は光ファイバーで接続され、つまり、量子暗号鍵配布ワイドエリアネットワーク、量子暗号鍵配布メトロポリタンエリアネットワーク等のようなもっと大きな規模の量子暗号鍵配布ネットワークを構成することができる。なお、クラシックネットワークリソース505における交換機の数はネットワークの規模によって決定され、デバイスアクセス点が多い場合、相応的にスイッチの数を増加して、クラシックネットワークリソース(例えば、ネットワークインターフェース)に対する要求を満たす。
【００９６】
この量子暗号鍵配布ネットワークにおいて、量子暗号鍵配布端末403と404は、一つの量子暗号鍵配布ローカルエリアネットワークでは、ポイントツーポイントの量子暗号鍵配布及び相関する暗号鍵応用を行うことができ、同様に、量子暗号鍵配布端末503と504は、他の一つの量子暗号鍵配布ローカルエリアネットワークでは、ポイントツーポイントの量子暗号鍵配布及び相関する暗号鍵応用を行うことができる。
【００９７】
量子暗号鍵配布端末の数は3台に達成し又は超える場合、量子チャネルを切り替える必要があり、切り替えることは、量子暗号鍵配布制御センター405がクラシックネットワークリソース505によって統合的に制御して実行する。量子暗号鍵配布制御センター405はクラシックネットワークリソース505によって光交換機へ制御信号を送信して、光交換機が量子チャネルを切り替えることを制御する。
【００９８】
各光交換機は量子暗号鍵配布制御センター405により直接的又は間接的に制御される。
【００９９】
量子暗号鍵配布制御センター405はクラシックネットワークリソース505によって光交換機に直接的に接続される時に、クラシックネットワークリソース505によって直接的に光交換機に制御信号を送信して、光交換機が量子チャネルを切り替えることを制御する。
【０１００】
光交換機は量子暗号鍵配布制御センター405により間接的に制御される時に、可能な接続方式は、各光交換機はケーブルで量子暗号鍵配布端末のネットワークインターフェースに接続され、量子暗号鍵配布制御センター405は制御信号を、それとクラシックネットワークリソース505によって接続される量子暗号鍵配布端末に送信して、量子暗号鍵配布端末は前記制御信号をそれとケーブルで接続される光交換機に送信することである。
【０１０１】
図5に示すのは光交換機が量子暗号鍵配布制御センター405により直接的に制御される時の可能な接続方式であって、他の接続方式は図面の記述を行わず、明細書における記述通りである。
【０１０２】
各量子暗号鍵配布端末はそれぞれの暗号鍵応用インターフェースによって少なくとも一つの通信端末に接続される。
【０１０３】
量子暗号鍵配布端末403は外部通信端末406-408に接続され、量子暗号鍵配布端末404は外部通信端末409-411に接続され、量子暗号鍵配布端末503は外部通信終端506-508接続され、量子暗号鍵配布端末504は外部通信端末509-511に接続され、実際的な応用過程において、上記の接続方式のみに限られなくて、他の接続方式もあって、ここで一々くどくど述べられない。
【０１０４】
図5では、二つの光交換機のみが互いに接続され、二つの交換機はクラシックネットワークリソースを提供し、設定された量子暗号鍵配布システムにおいて、複数の交換機と光交換機を有しても良い。
【０１０５】
前記交換機はクラシックネットワークリソース505を提供するためのものである。
【０１０６】
前記光交換機はそれと接続された量子暗号鍵配布端末へ光ファイバー相互接続及び量子チャネルの切り替えを提供するためのものである。
【０１０７】
前記量子暗号鍵配布制御センター405は、量子暗号鍵配布端末と光交換機の作動状態を制御するための制御信号を送信するためのものである。
【０１０８】
なお、量子暗号鍵配布制御センター405は量子暗号鍵配布ローカルエリアネットワーク、又はもっと大きな規模の量子暗号鍵配布ネットワークにおける量子暗号鍵配布端末と光交換機の作動状態を統合的に管理して協調と配置して、量子暗号鍵配布ローカルエリアネットワークにおける量子暗号鍵配布、又は量子暗号鍵配布ローカルエリアネットワークを跨るもっと大きな規模の量子暗号鍵配布ネットワークにおける量子暗号鍵配布に対する制御を実現する。例えば、量子暗号鍵配布制御センター405は光交換機402と光交換機502を、量子暗号鍵配布端末403と量子暗号鍵配布端末504の間で量子チャネルを設定し、量子暗号鍵配布端末404と量子暗号鍵配布端末503の間で量子チャネルを設定しないように制御すし、同時に、量子暗号鍵配布端末403と量子暗号鍵配布端末504がクラシックネットワークリソース505によって接続される。これにより、量子暗号鍵配布端末403と量子暗号鍵配布端末504は一つの量子暗号鍵配布システムを構成した。各光交換機の接続された量子暗号鍵配布端末は二つのみではなくて、複数であってもよく、接続された複数の量子暗号鍵配布端末を管理して制御することは上記の内容と類似して、ここでくどくど述べられない。
【０１０９】
ここで説明すべきことは、上記の実施例は本発明を解釈して説明することのみであって、上記実例の実施形態に限られるものではなくて、他の類似する実施形態も含まれて、ここでくどくど述べられない。
【０１１０】
以上述べたことは、本発明の最適的な実施例のみであって、本発明を限定するためのものではなく、本発明の精神と原則の内であれば、行われた任意の修正、均等切り替え、改善などはいずれも本発明の保護範囲に含まれる。
【図１】
2016534683.tif 000003
【図２】
2016534683.tif 000004
【図３】
2016534683.tif 000005
【図４】
2016534683.tif 000006
【図５】
2016534683.tif 000007
【国際調査報告】
2016534683.tif 000008
2016534683.tif 000009
2016534683.tif 000010
2016534683.tif 000011